(57)【特許請求の範囲】
【請求項１】
所定の圧縮率に基づき圧縮された画情報を画像メモリにメモリ受信するファクシミリ装置において、
前記画像メモリのメモリ残容量を管理するメモリ残量管理手段と、
前記メモリ残容量が予め設定された圧縮率変更判断基準容量より少ないか否かを判断する判断手段と、
前記メモリ残容量が前記圧縮率変更判断基準容量より少ない場合には、送信側に前記圧縮率より大きい圧縮率で圧縮して画情報を送信するように変更された圧縮率パラメータを該送信側に通知する圧縮率通知手段と、
圧縮率が変更されたときに、該圧縮率の変更を操作表示部に通知する変更通知手段と、
前記変更通知手段による通知後に、オペレータによる所定の操作により、メモリ残容量の増加、またはメモリに蓄積されたデータの消去を行なうメモリ管理手段と、
を備えたことを特徴とするファクシミリ装置。
【請求項２】
前記圧縮率変更通知手段が、着呼時に前記メモリ残容量と前記圧縮率変更判断基準容量との比較を行い、当該比較結果に基づき前記圧縮率パラメータを送信側に通知することを特徴とする請求項１記載のファクシミリ装置。
【請求項３】
前記圧縮率変更通知手段が、受信画像のページ間で前記メモリ残容量と前記圧縮率変更判断基準容量との比較を行い、当該比較結果に基づき前記圧縮率パラメータを送信側に通知することを特徴とする請求項１又は２のいずれか１項記載のファクシミリ装置。
【請求項４】
前記圧縮率判断基準容量が複数設定されて、前記圧縮率変更通知手段が各圧縮率判断基準容量に対応した圧縮率で画情報を圧縮して送信するように指示する前記圧縮率パラメータを送信側に通知することを特徴とする請求項１乃至３いずれか１項記載のファクシミリ装置。
【請求項５】
前記圧縮率変更通知手段が、受信画像のページ間で前記メモリ残容量と前記圧縮率変更判断基準容量との比較を行った際に、前記メモリ残容量が該圧縮率変更判断基準容量より多くなっていると判断した場合又は該圧縮率変更判断基準容量より所定量多くなっていると判断した場合には、送信側に当該画情報の圧縮率を現在の圧縮率より小さい圧縮率で圧縮して送信するように指示する圧縮率パラメータを通知することを特徴とする請求項１乃至４いずれか１項記載のファクシミリ装置。
【請求項６】
予め設定された基本量子化テーブルを用いて画情報を量子化し、当該量子化後の高周波成分をカットすることにより圧縮率を変更する際に、当該カットの度合いを示すパラメータを前記圧縮率パラメータとして送信側に通知し、または予め設定された基本量子化テーブルに所定乗数を乗じて得られる量子化テーブルを用いて画情報を量子化し、その際に乗じる前記乗数を前記圧縮率パラメータとして送信側に通知することを特徴とする請求項１乃至５いずれか１項記載のファクシミリ装置。
【発明の詳細な説明】
【０００１】
【発明の属する技術分野】
本発明は、画像メモリの残容量に応じた圧縮率で送受信を行うファクシミリ装置に関する。
【０００２】
【従来の技術】
今日、ファクシミリ装置の普及は著しく、中にはカラー画情報の送受信が可能なカラーファクシミリ装置がある。
【０００３】
このようなファクシミリ装置では、受信中に記録紙が無くなった場合、記録紙がジャムを起した場合、トナー切れが生じた場合等の事態が発生しても受信が正常に行われるように、画像メモリを備えて当該画像メモリに受信した画情報を蓄積することが行われている。
【０００４】
ところが、画情報はデータサイズが大きいため、メモリ消費量も多くなると共に通信時間が長くなる問題があり、当初より画情報を圧縮してデータサイズを小さくすると共に通信時間の短縮が図られている。
【０００５】
しかしながら、カラー画像の場合には、通常の圧縮率で圧縮してもそのデータサイズは大きいため、メモリの有効利用を図ることが困難であった。
【０００６】
そこで、より効率的な画像メモリの利用を可能にするため特開２０００−１６５６３０号公報においては、通常の圧縮率より大きい圧縮率の形式を自機が受信できる形式として送信側に通知する構成が提案されている。
【０００７】
即ち、通常カラー画像はＪＰＥＧ圧縮して送受信を行うが、画像メモリの効率利用を可能にするために自機の受信可能な形式をＪＢＩＧ圧縮された画情報であるとして送信側に通知するようにしている。
【０００８】
なお、ＪＰＥＧ（Ｊｏｉｎｔ  Ｐｈｏｔｏｇｒａｐｈｉｃ  Ｅｘｐｅｒｔｓ  Ｇｒｏｕｐ）圧縮とは、カラーまたは白黒写真のような多値（白黒なら８ビット／画素）の静止画を圧縮するためのフォーマットであり、ＪＢＩＧ（ＪｏｉｎｔＢｉ−ｌｅｂｅｌ  Ｉｍａｇｅ  ｅｘｐｅｒｔｓ  Ｇｒｏｕｐ）圧縮とは、同じ静止画でも白黒２値画像や新聞紙面の写真のようなディザー処理された画像の圧縮フォーマットである。
【０００９】
従って、送信側はカラー画像を２値画像として送信するため、データ量が少なくなって、画像メモリに多量の画情報を記憶することが可能になり、当該画像メモリの有効利用が図られている。
【００１０】
【発明が解決しようとする課題】
しかしながら、上記公報による構成では、画像メモリの残容量に関係なく、固定的な方法でデータ圧縮率の高いＪＢＩＧ圧縮の形式を自機の受信可能な形式として送信側に通知するため、カラー画像を受信できるメモリ残容量があっても２値画像しか受信することができなくなってしまう問題がある。
【００１１】
そこで、本発明は、画像をメモリ残容量に応じた圧縮率で送受信が行えるようにして効率的な画像メモリの利用を可能にすると共に、画質の状態が判断し改善することが出来るファクシミリ装置を提供することを目的とする。
【００１２】
【課題を解決するための手段】
上記課題を解決するため、請求項１にかかる発明は、所定の圧縮率に基づき圧縮された画情報を画像メモリにメモリ受信するファクシミリ装置において、前記画像メモリのメモリ残容量を管理するメモリ残量管理手段と、前記メモリ残容量が予め設定された圧縮率変更判断基準容量より少ないか否かを判断する判断手段と、前記メモリ残容量が前記圧縮率変更判断基準容量より少ない場合には、送信側に前記圧縮率より大きい圧縮率で圧縮して画情報を送信するように変更された圧縮率パラメータを該送信側に通知する圧縮率通知手段と、圧縮率が変更されたときに、該圧縮率の変更を操作表示部に通知する変更通知手段と、前記変更通知手段による通知後に、オペレータによる所定の操作により、メモリ残容量の増加、またはメモリに蓄積されたデータの消去を行なうメモリ管理手段とを備え、画像をメモリ残容量に応じた圧縮率で送受信が行えるようにして効率的な画像メモリの利用を可能にすると共に、オペレータは圧縮率の変更を知って不要なメモリデータを消去するなどして送信側に通知し再送依頼することにより画質を改善できるようにしたことを特徴とするものである。
【００１３】
請求項２にかかる発明は、圧縮率変更通知手段が、着呼時にメモリ残容量と圧縮率変更判断基準容量との比較を行い、当該比較結果に基づき圧縮率パラメータを送信側に通知するようにして、少なくとも１通信単位でカラー画像をメモリ残容量に応じた圧縮率で送受信を行うことにより効率的な画像メモリの利用を可能にしたことを特徴とする。
【００１４】
請求項３にかかる発明は、圧縮率変更通知手段が、受信画像のページ間でメモリ残容量と圧縮率変更判断基準容量との比較を行い、当該比較結果に基づき圧縮率パラメータを送信側に通知するようにして、少なくともページ単位でカラー画像をメモリ残容量に応じた圧縮率で送受信を行うことにより効率的な画像メモリの利用を可能にしたことを特徴とする。
【００１５】
請求項４にかかる発明は、圧縮率判断基準容量が複数設定されて、圧縮率変更通知手段が各圧縮率判断基準容量に対応した圧縮率でカラー画情報を圧縮して送信するように指示する圧縮率パラメータを送信側に通知して、メモリ残容量に応じた圧縮率で圧縮率で送受信を行うことにより効率的な画像メモリの利用を可能にしたことを特徴とする。
【００１６】
請求項５にかかる発明は、圧縮率変更通知手段が、受信画像のページ間でメモリ残容量と圧縮率変更判断基準容量との比較を行った際に、メモリ残容量が該圧縮率変更判断基準容量より多くなっていると判断した場合又は該圧縮率変更判断基準容量より所定量多くなっていると判断した場合には、送信側に当該カラー画情報の圧縮率を現在の圧縮率より小さい圧縮率で圧縮して送信するように指示する圧縮率パラメータを通知して、画像メモリに記憶された画情報が記録出力等されて増えた場合には圧縮率を小さくするようにして、画質の高画質度を向上させながら画像メモリの有効利用を可能にしたことを特徴とする。
【００１７】
請求項６にかかる発明は、予め設定された基本量子化テーブルを用いてカラー画情報を量子化し、当該量子化後の高周波成分をカットすることにより圧縮率を変更する際に、当該カットの度合いを示すパラメータを圧縮率パラメータとして送信側に通知し、または予め設定された基本量子化テーブルに所定乗数を乗じて得られる量子化テーブルを用いてカラー画情報を量子化し、その際に乗じる乗数を圧縮率パラメータとして送信側に通知して、簡単な構成で圧縮率を変更できるようにしたことを特徴とする。
【００１８】
【発明の実施の形態】
本発明の実施の形態を図を参照して説明する。図１は本実施の形態の説明に適用されるカラーファクシミリ装置の概略構成を示すブロック図である。
【００１９】
当該カラーファクシミリ装置は、システム制御部１、ＲＯＭ２、ＲＡＭ３、時計回路４、読取部５、記録部６、操作表示部７、モノクロ用にＭＨ・ＭＲ・ＭＭＲ・ＪＢＩＧ等の圧縮伸長器と、カラー用にＪＰＥＧ圧縮伸長器を備える符号化復号化部８、網制御部１０、モデム１１、ＰＳＴＮ回線やＩＳＤＮ回線からなる公衆回線１２、画像メモリ１３、ＲＧＢ／Ｌａｂ変換部やＬａｂ／ＣＭＹＫ変換部からなる色変換部１４、通信制御部１５等を有して、これらがシステムバス９を介して接続されている。
【００２０】
システム制御部１は、ＲＯＭ２に書き込まれた制御プログラムにしたがってＲＡＭ３を作業領域として使用しながら、装置各部を制御するマイクロコンピュータで、後述する画像メモリ１３のメモリ残容量の管理も行う。
【００２１】
ＲＯＭ２は、システム制御部１が装置各部を制御するための制御プログラムが記憶されているリードオンリメモリである。
【００２２】
ＲＡＭ３は、システム制御部１の作業領域として使用されるランダムアクセスメモリである。なお、ＲＡＭ３は、図示しないバックアップ用回路によりバックアップされて装置電源遮断時にも記憶内容が保持されるようにすることが好ましい。
【００２３】
読取部５は、カラー画情報や白黒画情報を読取るもので、３．８５本／ｍｍ、７．７本／ｍｍ、１５．４本／ｍｍ等の所定の読取線密度で原稿画像を読取り、読取った画情報を一旦図示しないラインバッファ等に逐次蓄積して必要とされる構成部分に転送するようになっている。
【００２４】
記録部６は、受信したカラー画情報や白黒画情報をその線密度に応じて記録出力したり、読取部５で読取った画情報をその線密度に応じて記録出力（コピー動作）するためのものであり、また管理リポートの出力にも用いられる。
【００２５】
時計回路４は、現在時刻の計時を行う一方、システム制御部１から設定された時定数をカウントダウンしてタイムアウトするとシステム制御部１にタイムアウトしたことを通知する、タイマ動作を行うものである。
【００２６】
画像メモリ１３は、読取部５で読取った画情報をメモリ送信するために一時的にファイルとして蓄積する圧縮データメモリー用の図示しないＳＡＦメモリ、受信した画情報を記録部６により記録するまでファイルとして一時的に蓄積してデータを記録する際に生データを展開するバッファ用の図示しないページメモリ等を備えている。
【００２７】
操作表示部７は、宛先電話番号を指定するためのテンキー、スタートキー、ワンタッチダイヤルキー及びその他各種キーを備え、また液晶表示装置等の表示器を備えて、ユーザに知らせるべき装置の動作状態や各種メッセージを表示する。
【００２８】
符号化復号化部８は、画情報を符号化圧縮するとともに、符号化圧縮されている画情報を元の画信号に復号化するためのものであり、ＭＨ，ＭＲ，ＭＭＲ，ＪＢＩＧ，ＪＰＥＧ等の複数の符号化モードを備えている。
【００２９】
モデム１１は、網制御部１０を介して公衆網に送信するデータを変調する一方、網制御部１０を介してＰＳＴＮまたはＩＳＤＮの公衆網から受信した信号を復調するものである。
【００３０】
網制御部１０は、回線に接続されて、回線の極性反転の検出、回線の直流ループの閉結・解放や、回線解放の検出、発信音の検出、ビジートーン等のトーン信号の検出、呼出信号の検出等の回線との接続制御、ダイヤル回線に対応したダイヤルパルスの生成を行うものである。
【００３１】
通信制御部１５は、ファクシミリプロトコルの制御を実行して網制御部１０を制御し、エンドユーザ側の加入電話回線ＰＳＴＮの公衆網と接続し、またエンドユーザ側の各ファクシミリ装置との通信の制御を行う。
【００３２】
このような構成で画情報の受信手順を図２を参照して説明する。システム制御部１は、常時画像メモリ１３のメモリ残容量Ａを検出して管理している。
【００３３】
このような状態で、発呼トーン（ＣＮＧ）を検出して着呼すると（ステップＳ１）、システム制御部１は現在のメモリ残容量Ａが予め設定された容量より少ないか否かを判断する（ステップＳ２）。このように予め設定された容量を圧縮率変更判断基準容量Ｂと記載する。
【００３４】
この圧縮率変更判断基準容量Ｂとして、例えば画像メモリ１３の３０％のメモリ容量と規定することも可能であり、また例えば平均的な受信枚数が５ページであるとした場合に、通常の圧縮率で５ページ分のカラー画情報をメモリ受信するのに必要なメモリ容量として設定することも可能である。なお、通常の圧縮率については後述する。
【００３５】
そして、メモリ残容量Ａが圧縮率変更判断基準容量Ｂより多い場合は、通常の圧縮率による受信を行い（ステップＳ４）、メモリ残容量Ａが圧縮率変更判断基準容量Ｂより少ない場合は、圧縮率を通常の圧縮率から変更して受信を行う（ステップＳ３）。
【００３６】
通常の圧縮率による受信は、受信側が送信側に被呼局識別信号（ＣＥＤ）を送信した後に送信されるディジタル識別信号（ＤＩＳ）や非標準機能識別信号（ＮＳＦ）等において、通常の圧縮率を示す圧縮率パラメータを送信する。
【００３７】
無論、通常の圧縮率の場合には、当該圧縮率パラメータの送信を省略することにより、送信側に通常の圧縮率での受信であることを知らせるようにしてもよい。
【００３８】
一方、メモリ残容量Ａが圧縮率変更判断基準容量Ｂより少ないために通常の圧縮率より大きな圧縮率での受信を行う場合には、上述したディジタル識別信号（ＤＩＳ）や非標準機能識別信号（ＮＳＦ）等において変更する圧縮率を示す圧縮率パラメータを送信側に通知する。
【００３９】
送信側は、読取部５で読込んだ画像データをＭＲ符号化方式等により圧縮してＳＡＦメモリに記憶している状態で受信側からの圧縮率パラメータを受取り、当該圧縮パラメータに基づきＳＡＦメモリに記憶していた画像データをページメモリーに展開して、指定された圧縮率のＪＰＥＧ圧縮を行って送信する。
【００４０】
このようにして圧縮されたカラー画情報は、受信側の画像メモリ１３に蓄積される（ステップＳ５）。
【００４１】
そして、次ページがあるか否かを判断して（ステップＳ６）、無い場合には回線切断して受信動作が終了し（ステップＳ７）、ある場合にはステップＳ５に戻って、メモリ受信を繰返す。
【００４２】
このように、待機状態において画像メモリ１３のメモリ残容量Ａを管理し、当該メモリ残容量Ａが圧縮率変更判断基準容量Ｂより少ない状態で着呼した場合には、圧縮率を通常の圧縮率より大きくしたカラー画情報の受信を行うため画像メモリ１３の有効利用が可能となる。
【００４３】
なお、圧縮率を大きくすると画質が落ちるため、メモリ残容量Ａの関係で圧縮率が変更されたことに依る画質低下が起きている旨を受信側のオペレータに通知することは、当該オペレータが画質劣化に伴いう誤解を招かないようにするためにも好ましい。
【００４４】
このようなオペレータに通知する方法として通信レポートや管理レポートに記載して記録出力等する方法が可能である。
【００４５】
これにより、オペレータは記録出力された画像の画質に満足できないような場合には、画像メモリ１３を空にしたりして（メモリ残容量Ａを増やすことも含む）、再受信や直接送信を依頼することが可能になって利便性が向上する。
【００４６】
ところで、ＪＰＥＧ圧縮は、非可逆圧縮（Ｌｏｓｓｙ）と可逆圧縮（Ｌｏｓｓｌｅｓｓ）の２方式があり、非可逆圧縮（Ｌｏｓｓｙ）は、離散コサイン変換（ＤＣＴ）を用いる方式で数十分の１の高圧縮が行え、その圧縮率はユーザーが任意に設定できるようになっている。
【００４７】
Ｌｏｓｓｙ圧縮は、まず画像を８×８画素の２次元ブロックに分割し、ブロックごとにＤＣＴを施して、原画信号をブロック内の周波数成分ごとの強度を表す係数値に変換する。
【００４８】
通常の写真画像をＤＣＴすると低周波成分に電力が偏る傾向があり、情報論的にエントロピーが低い状態になり、この状態に置き換えることでデータ量の圧縮がしやすくなる。
【００４９】
周波数表現された係数は量子化（制御パラメータによる丸め除算）され、ブロック内のジグザグ・スキャン変換で一列に並べ変えられた上で、エントロピー符号に置換されて一連の符号化処理を完了する。
【００５０】
エントロピー符号にはハフマン符号と算術符号が用意され、ハフマン符号は量子化係数の統計的性質に基づき画像ごとに最適設計できる。
【００５１】
そこで、本発明では、上述した圧縮率の変更方法として、周波数表現された係数を量子化する際には量子化テーブルを用いて行うが、この量子化テーブルを変更することで圧縮率を変更するようにしている。
【００５２】
例えば、ＪＰＥＧ圧縮においては、ガイドラインとして輝度成分と色差成分とに対する量子化テーブルが例示されている。これを基本量子化テーブルとして、当該基本量子化テーブルに一定乗数を掛けることにより圧縮率の異なる新たな量子化テーブルを準備し、これを用いて量子化を行う。
【００５３】
このような方法の場合には、乗数が「１」のとき、即ち基本量子化テーブルを用いて量子化したときが通常の圧縮率となり、乗数が「１」以外の時には圧縮率が通常の圧縮率から変更された場合に相当し、その乗数値と標準の圧縮率との積が変更された圧縮率を示すようになる。従って、圧縮率パラメータとしては、この乗数を含むパラメータとなる。
【００５４】
無論、本発明は、圧縮率の変更方法として上述した方法に限定されるものではない。例えば、上述したように一次元配列をハフマン符号化するが、その際にハフマン符号化の傾向として、「０」が沢山連続するようになり、１次元配列の後の方の高周波成分をカットして「０」にしてしまった方が圧縮率が向上する。
【００５５】
そこで、この１次元配列における高周波成分のカットを開始する位置を変えることにより圧縮率の変更が可能になり、送信側にこの情報を圧縮率パラメータとして通知すればよい。
【００５６】
次に、本発明の第２の実施の形態を図を参照して説明する。なお、第１の実施の形態と同一構成に関して同一符号を用い説明を適宜省略する。
【００５７】
第１の実施の形態では、メモリ残容量Ａが圧縮率変更判断基準容量Ｂより少ない場合には、圧縮率を大きくして画像メモリ１３の有効利用を図った。この場合、圧縮率の変更は画情報の受信開始前のみでページ間では圧縮率の変更を行わなかった。
【００５８】
これに対し本実施の形態では、ページ間でもメモリ残容量Ａが圧縮率変更判断基準容量Ｂより少なくなったか否かを判断して、少なくなった場合には圧縮率を変更するようにして、より効率的な画像メモリ１３の利用を可能にしたものである。
【００５９】
この手順を図３に示すフローチャートに従い説明する。システム制御部１は画像メモリ１３のメモリ残容量Ａを管理しており、このような状態で着呼すると（ステップＳ１１）、メモリ残容量Ａが圧縮率変更判断基準容量Ｂより少ないか否かが判断される（ステップＳ１２）。
【００６０】
そして、画像メモリ１３のメモリ残容量Ａが圧縮率変更判断基準容量Ｂより少ない場合には、送信側に圧縮率を大きくするように指示する圧縮率パラメータを通知して（ステップＳ１３）、カラー画情報のメモリ受信を行う（ステップＳ１７）。
【００６１】
一方、メモリ残容量Ａが圧縮率変更判断基準容量Ｂより多い場合には、受信が１ページ目か否かを判断する（ステップＳ１４）。
【００６２】
受信が１ページ目の場合には、通常の圧縮率で送受信を行う旨の圧縮率パラメータを通知し（ステップＳ１５）、受信が１ページ以降の場合には圧縮率を小さくして送受信を行う旨の圧縮率パラメータを通知する（ステップＳ１６）。
【００６３】
なお、受信が１ページ以降の場合に、圧縮率を小さくする旨の圧縮率パラメータを通知する際には、受信側から送信側にステップＳ２０で説明する圧縮率変更信号を送信して圧縮率の変更を通知する。
【００６４】
送信側は、この圧縮率送信信号に含まれる圧縮率パラメータに基づき圧縮率を変更し、ＥＯＭ信号を受信側に送信して、マルチページ送信で、次ページの送信条件が変更となることを確認の意味から知らせる。
【００６５】
このようにして、圧縮率が設定されると、メモリ受信を開始し（ステップＳ１７）、次のページがあるか否かを判断する（ステップＳ１８）。
【００６６】
この判断は、送信側から送信されてくる信号がＥＯＰ信号かＭＰＳ信号又はＥＯＭ信号かにより判断する。
【００６７】
ＥＯＰ信号は、送信原稿が１枚の時やマルチページ送信の時に、最終ページが送信された後に送られてくる信号で、画情報の終了を示す信号である。
【００６８】
また、ＭＰＳ信号はマルチページ送信で、マルチページ送信で次ページの送信条件（送信原稿幅等）が変更されないことを受信側へ知らせる信号であり、ＥＯＭ信号はマルチページ送信で、次ページの送信条件（送信原稿幅等）が変更となることを受信側へ知らせる信号である。
【００６９】
従って、送信側から送信されてくる信号がＥＯＰ信号かＭＰＳ信号又はＥＯＭ信号かにより、次ページがあるか否かが判断でき、次ページがない場合には回線切断を行って受信が終了する（ステップＳ２１）。
【００７０】
一方、ＭＰＳ信号又はＥＯＭ信号を受信した場合には、ステップＳ１９に進み、メモリ残量が圧縮率変更判断基準容量を跨いで変化したか否かを判断する。
【００７１】
この圧縮率変更判断基準容量Ｂを跨いで変化するとは、前ページのメモリ受信を行う際は、メモリ残容量Ａは圧縮率変更判断基準容量Ｂより多かったが、当該ページをメモリ受信した結果、メモリ残容量Ａが圧縮率変更判断基準容量Ｂより少なくなった場合、メモリ受信していた画情報が記録出力されたためにメモリ残容量Ａが圧縮率変更判断基準容量Ｂより多くなった場合のような変化を言う。
【００７２】
この結果、圧縮率変更判断基準容量Ｂを超える変化がなかった場合には、圧縮率の変更を行なわずにステップＳ１７に戻り次ページの受信を行う。
【００７３】
一方、圧縮率変更判断基準容量Ｂを跨ぐ変化があった場合には、受信側は送信側に圧縮率変更信号を送信して（ステップＳ２０）、ステップＳ１２に戻り、メモリ残容量Ａが圧縮率変更判断基準容量Ｂより少ないか否かの判断を行う。
【００７４】
このようにして全ての画情報の受信が完了すると、回線切断を行い画情報の送受信は終了する（ステップＳ２１）。
【００７５】
以上説明したように、着呼時のみならずページ間でもメモリ残容量Ａが圧縮率変更判断基準容量Ｂを跨いで変化したか否かを判断して圧縮率を変更するようにしたので、画像メモリ１３の有効利用が可能になる。
【００７６】
なお、ステップＳ１９でメモリ残容量Ａが減っていくときの圧縮率変更判断基準容量Ｂと、増えていくときの圧縮率変更判断基準容量Ｂとは、同じ値であることを前提に説明したが、本発明はこれに限定されるものではなく、異なる値に設定しても良いことは言うまでもない。
【００７７】
即ち、画情報のメモリ受信と記録出力とが同時に行われるような状況下では、メモリ残容量Ａはメモリ受信により減少し記録出力により増大するので、増減が繰返し起ることが想定される。
【００７８】
このような場合に、メモリ残容量Ａが減っていくときの圧縮率変更判断基準容量Ｂと、増えていくときの圧縮率変更判断基準容量Ｂとを同じ値に設定すると、圧縮率の変更を頻繁に行う必要が生じて通信手順が増えてしまう。
【００７９】
そこで、このような不都合を抑制するために、メモリ残容量Ａが減っていくときの圧縮率変更判断基準容量Ｂに比べ、増えていくときの圧縮率変更判断基準容量Ｂを大きな値に設定することで通信手順の減少による高速通信が可能となる。
【００８０】
次に、本発明の第３の実施の形態を図を参照して説明する。なお、第１及び第２の実施の形態と同一構成に関して同一符号を用い説明を適宜省略する。
【００８１】
第１や第２の実施の形態においては、メモリ残容量Ａと圧縮率変更判断基準容量Ｂとの比較を行い、メモリ残容量Ａが圧縮率変更判断基準容量Ｂより少なくなった場合には、圧縮率を変更して効率的な画像メモリ１３の利用を可能にした。
【００８２】
これに対し本実施の形態では、メモリ残容量Ａの度合に応じた圧縮率を設定するようにして、より効率的に画像メモリ１３の利用を図るものである。
【００８３】
この手順を図４に示すフローチャートに従い説明する。システム制御部１は画像メモリ１３のメモリ残容量Ａを管理し、着呼すると（ステップＳ２１）、メモリ残容量Ａの度合に応じた圧縮率を判断して、送信側に通知する（ステップＳ２２）。
【００８４】
このときメモリ残容量Ａの度合に応じた圧縮率とは、例えばメモリ残容量Ａが画像メモリ１３の全容量に対して３０％になった時には圧縮率を標準の２倍、メモリ残容量Ａが２０％になったときには圧縮率を４倍、メモリ残容量Ａが１０％になったときは圧縮率を６倍にする等の方法が可能である。
【００８５】
以下の説明では、このように圧縮率を設定する場合を例に説明するが、本発明はこれに限定されるものではなく、例えば標準的な受信ページ数として５ページが想定されるような場合に、メモリ残容量Ａが３０％になると、当該５枚の画情報を２０％のメモリ容量で受信できるように圧縮率を演算するようにしても良い。
【００８６】
この場合、１０％のメモリ容量が残ることになるが、５ページは予め予定した枚数であり、実際には６ページ分送信されてくることもあるので、そのような場合に備えて全てのメモリを使いきらない条件で圧縮率を演算することが好ましい。
【００８７】
このようにして圧縮率が判断されると、それを送信側に通知して、メモリ受信を開始する（ステップＳ２３）。
【００８８】
そして、次のページがあるか否かを判断する（ステップＳ２４）。このとき次ページがあり、かつ、メモリ残容量Ａが圧縮率変更範囲を超えた場合はステップＳ２２に戻り、新たなメモリ残容量Ａに対する圧縮率の設定通知を行って次ページのメモリ受信を行い、メモリ残容量Ａが圧縮率変更範囲を超えていない場合は、ステップＳ２３に戻り圧縮率を変更することなく継続してメモリ受信を行う。
【００８９】
ここで圧縮率変更範囲とは、例えば圧縮率をメモリ残容量Ａが３０％以上、３０％〜２０％、２０％〜１０％、１０％以下の容量範囲に対応して設定した際の各メモリ容量範囲を意味し、この場合メモリ受信を行った結果、メモリ残容量Ａが２５％から２３％になったり、２５％から２８％になったりした場合は圧縮率変更範囲を超えず、メモリ残容量Ａが２５％から１５％になったり、２５％から３５％になったりすると圧縮率変更範囲を超えたとすることができる。
【００９０】
このように、メモリ残容量Ａに応じた圧縮率で受信を行うようにすることで、大幅な画像メモリの有効利用が可能になる。
【００９１】
【発明の効果】
以上説明したように本発明によれば、メモリ残容量に応じて画像を圧縮する際の圧縮率を変えるため、画像メモリの有効利用が可能になる。また、圧縮率が変更されたときに、該圧縮率の変更を操作表示部に通知し、オペレータによる所定の操作により、メモリ残容量の増加、またはメモリに蓄積されたデータの消去を可能としたため、それを送信側に通知し再送依頼することにより画質が改善できるようになる。
【図面の簡単な説明】
【図１】本発明の実施の形態の説明に適用されるカラーファクシミリ装置のブロック図である。
【図２】第１の実施の形態の説明に適用される圧縮率変更手順を示すフローチャートである。
【図３】第２の実施の形態の説明に適用される圧縮率変更手順を示すフローチャートである。
【図４】第３の実施の形態の説明に適用される圧縮率変更手順を示すフローチャートである。
【符号の説明】
１  システム制御部
２  ＲＯＭ
３  ＲＡＭ
６  記録部
８  符号化復号化部
１０  網制御部
１１  モデム
１３  画像メモリ
１５  通信制御部
【図１】
0003901532.tif 000002
【図２】
0003901532.tif 000003
【図３】
0003901532.tif 000004
【図４】
0003901532.tif 000005